(57)【要約】      （修正有）【課題】重ね合わせシートを折り曲げた際の剥離片の一部剥がれを回避できる再剥離性重ね合わせシートを提供する。【解決手段】第１基材１２と疑似接着される第２基材１３の所定位置に折り線１４が形成され、第１基材１２に分離自在に形成される第１シート片２１、第２シート片２２及び第５シート片２５が第２基材１３の折り線１４の位置を跨って設けられ、当該各シート片の当該折り線１４を境とした長辺領域に対応する部分の疑似接着を弱接着とする疑似弱接着層６２を形成し、当該折り線１４を境とした短辺領域に対応する部分の疑似接着を強接着とする疑似強接着層６１Ａを形成する。【選択図】図１
2015208931.tif 000002
【特許請求の範囲】
【請求項１】
第１基材の貼着面に設けられた第１樹脂層と第２基材の貼着面に設けられた第２樹脂層とで疑似接着される再剥離性重ね合わせシートであって、
前記第２基材の所定位置に折り線が形成され、
前記第１基材に分離自在な所定数のシート片が形成され、少なくとも一のシート片が前記第２基材の折り線の位置を跨って設けられ、
前記シート片の前記折り線を境を境とした長辺領域に対応する部分の前記疑似接着を弱接着とし、当該折り線を境とした短辺領域に対応する部分の前記疑似接着を強接着とすることを特徴とする再剥離性重ね合わせシート。
【発明の詳細な説明】
【技術分野】
【０００１】
本発明は、複数の基材を重ね合わせ接着して、後に貼着面を剥離させる再剥離性重ね合わせシートに関する。
【背景技術】
【０００２】
近年、再剥離性重ね合わせシートは多様化しており、例えば商品伝票には情報量の増加を図って５つ以上の剥離片を再剥離可能に設けられるものもある。このような商品伝票は、例えば返品票などの剥離片を含んで商品配送の梱包内に入れられるものもあり、その際には当該商品伝票のシートを折り曲げた状態とされることから、折り曲げによる剥離片のめくれなどを防止する必要がある。
【０００３】
従来、再剥離性重ね合わせシートとして、例えば特許文献１などに記載されているような配送伝票が多数知られている。特許文献１に記載されている配送伝票は、配達票となる上基材の裏面に、剥離剤層が形成され、下基材上に形成された接着層と当該剥離剤層側で接着させ、配達票が下基材上の接着層より剥離させるというものである。
【先行技術文献】
【特許文献】
【０００４】
【特許文献１】特開２０１３−０１０２２４号公報
【発明の概要】
【発明が解決しようとする課題】
【０００５】
ところで、公知の配送伝票などにおいては、配達票などの剥離片が剥離されて使用される前に、折り曲げた状態とさせる伝票などが存在し、この場合には折り曲げるためのミシン目などが上基材及び下基材に形成されるのが一般的である。このような伝票などは、上基材上の剥離対象とする剥離片に情報を形成するものが多く、当該情報欄は折り用ミシン目を跨らせずに当該ミシン目の境までに形成させて印字などの情報形成の妨げとならないようにしている。このような構成において、剥離片上の情報量の増加を図るために折り部分より延出させ、上基材上に折り用ミシン目を形成せずに下基材のみに折り用ミシン目を形成することが考えられる。
【０００６】
上記上基材上に折り用ミシン目を形成させずに折り曲げると剥離片の一部も折り曲げられることとなり、当該剥離片を剥離可能に接着している状態では、折り曲げ位置から先の短辺領域部分が折り曲げ部分より戻ろうとする力が働いて当該短辺領域の端辺部分から剥がれが生じやすくなる。
【０００７】
そこで、本発明は上記課題に鑑みなされたもので、重ね合わせシートを折り曲げた際の剥離片の一部剥がれを回避する再剥離性重ね合わせシートを提供することを目的とする。
【課題を解決するための手段】
【０００８】
上記課題を解決するために、請求項１の発明では、第１基材の貼着面に設けられた第１樹脂層と第２基材の貼着面に設けられた第２樹脂層とで疑似接着される再剥離性重ね合わせシートであって、前記第２基材の所定位置に折り線が形成され、前記第１基材に分離自在な所定数のシート片が形成され、少なくとも一のシート片が前記第２基材の折り線の位置を跨って設けられ、前記シート片の前記折り線を境を境とした長辺領域に対応する部分の前記疑似接着を弱接着とし、当該折り線を境とした短辺領域に対応する部分の前記疑似接着を強接着とする構成とする。
【発明の効果】
【０００９】
本発明によれば、第１基材と疑似接着される第２基材の所定位置に折り線が形成され、第１基材に分離自在な形成される少なくとも一のシート片が第２基材の折り線の位置を跨って設けられ、当該シート片の当該折り線を境とした長辺領域に対応する部分の疑似接着を弱接着とし、当該折り線を境とした短辺領域に対応する部分の疑似接着を強接着とする構成とすることにより、重ね合わせシートを折り曲げた際の短辺領域に対応する部分の疑似接着を強接着としていることからシート片の一部剥がれを回避することができるものである。
【図面の簡単な説明】
【００１０】
【図１】本発明に係る再剥離性重ね合わせシートの概略構成図である。
【図２】図１の再剥離性重ね合わせシートにおける重ね合わせ状態の説明図である。
【図３】図１の再剥離性重ね合わせシートにおけるシート片分離の説明図である。
【図４】本発明に係る再剥離性重ね合わせシートの折り曲げ形態の概略構成図である。
【発明を実施するための形態】
【００１１】
以下、本発明の実施形態を図により説明する。本実施形態における再剥離性重ね合わせシートにおいて、第１基材を上基材として貼着面に形成される第１樹脂層を第１剥離剤層とし、第２基材を下基材として貼着面に形成される第２樹脂層を疑似接着層として説明するが、第１剥離剤層及び疑似接着層は逆であっても同様である。
【００１２】
図１に本発明に係る再剥離性重ね合わせシートの第１実施形態の概略構成図を示すと共に、図２に図１の再剥離性重ね合わせシートにおける重ね合わせ状態の説明図を示す。図１(Ａ）において、再剥離性重ね合わせシート１１は、上基材となる第１基材１２と下基材となる第２基材１３とにより構成される。第１基材１２は例えば紙製で構成され、第２基材１３は例えば紙製若しくはフィルムで構成される。
【００１３】
第１基材１２は、例えば第１シート片２１〜第６シート面２６で構成し、重ね合わせ後に当該第１基材１２上のみに形成されるスリット１５Ａ〜１５Ｅで各独立とされる。この再剥離性重ね合わせシート１１を、例えば商品伝票とした場合、商品お届け明細書（第１シート片２１）、返品交換連絡票（第２シート片２２）、購入証明書（第３シート片２３）、ラベル片（第４シート片２４）、所望設定領域（第５シート片２５）及びラベル形態の配送会社控え（第６シート片２６）としている。当該第６シート片２６には後に控えとして分離可能なミシン目２６Ａが形成される。
【００１４】
例えば、図１（Ｂ）に示すように、第２シート片２２との貼着面となる裏面１２Ｂには筆記欄としての記載欄３１が形成される。なお、筆記欄としての記載欄は第２シート片２２の裏面１２Ｂに限らず、第１シート片２１、第３シート片２３及び第５シート片２５の裏面１２Ｂに形成してもよい。
【００１５】
また、第１シート片２１〜第３シート片２３及び第５シート片２５の裏面１２Ｂには、第１樹脂層である第１剥離剤層４１が形成される。当該第１剥離剤層４１は、インキとニス（シリコン系であっても非シリコン系であっても他の樹脂に対して剥離性があれば何れでもよい）との割合を例えば３：１とした剥離剤で、例えば網点状に形成される。なお、第１基材１２と第１剥離剤層４１との層間にメジウム層を形成してもよく、これによって第１基材１２への第１剥離剤層４１を形成する剥離剤の染み込みを防止することができるものである。
【００１６】
また、図１（Ｂ）に示すように、第４シート片２４の裏面１２Ｂには粘着剤層４２が形成され、第６シート片２６の裏面１２Ｂの周縁を含む所定領域に粘着剤層４２が形成される。
【００１７】
図１（Ａ）に戻り、第２基材１３は、上記第１基材１２の第１シート片２１〜第６シート片２６に対応した第１シート片対応領域５１〜第６シート片対応領域５６とし、略中央部分に折り線１４が形成される。当該折り線１４は、例えばミシン目、スジ押し若しくはハーフカットにより形成される。
【００１８】
図２に示すように、第１基材１２の貼着面となる裏面１２Ｂと第２基材１３の貼着面となる表面１３Ａとが重ね合わされたときに、第１基材１２の第１シート片２１、第２シート片２２及び第５シート片２５は第２基材１３に形成された折り線１４を越えた領域に延出するような大きさとしている。すなわち、第１シート片２１、第２シート片２２及び第５シート片２５は、第２基材１３に形成された折り線１４を跨って左端辺から当該折り線１４の境までの長辺領域と、折り線１４より第６シート片２６側に延出する短辺領域とからなることとなる。
【００１９】
そして、第２基材１３の表面１３Ａであって、例えば第２シート片対応領域５２の、例えば疑似弱接着層６２の形成領域に筆記欄としての記載欄３２が形成される。なお、筆記欄としての記載欄は第２シート片対応領域５２の表面１３Ａに限らず、第１シート片対応領域５１、第３シート片対応領域５３及び第５シート片対応領域５５の表面１３Ａに形成してもよい。
【００２０】
上記第２基材１３の表面１３Ａにおける第１シート片対応領域５１〜第３シート片対応領域５３及び第５シート片対応領域５５には、その周縁に疑似強接着層６１Ｂが形成される。また、折り線１４を越えた上記短辺領域に対応する第６シート片対応領域５６までの領域を疑似接着を強接着とする疑似強接着層６１Ａとして形成される。また、上記第２基材１３の表面１３Ａにおける第１シート片対応領域５１〜第３シート片対応領域５３及び第５シート片対応領域５５における上記形成された疑似強接着層６１の内側であって、上記長辺領域に対応する領域に疑似接着を弱接着とする疑似弱接着層６２が形成される。
【００２１】
すなわち、第１シート片２１、第２シート片２２及び第５シート片２５の上記長辺領域に対応する第１シート片対応領域５１、第２シート片対応領域５２及び第５シート片対応領域５５では疑似弱接着層６２が形成され、第１シート片２１、第２シート片２２及び第５シート片２５の上記短辺領域に対応する第１シート片対応領域５１、第２シート片対応領域５２及び第５シート片対応領域５５では疑似強接着層６１Ａが形成されものである。なお、第２基材１３と疑似強接着層６１及び疑似弱接着層６２との層間にメジウム層を形成してもよく、これによって第２基材１３への疑似強接着層６１及び疑似弱接着層６２を形成する接着剤の染み込みを防止することができるものである。
【００２２】
上記疑似強接着層６１Ａ，６１Ｂは、使用される接着剤としては、水性エマルジョン接着剤として、例えば酢酸ビニル樹脂を主成分としたエマルジョンで、粘度７００〜１２００ｍＰａ・ｓ（３０℃、１０ｒｐｍ）、不揮発分４９パーセント〜５３パーセント、ｐＨ４〜６のものを使用し、例えばスクリーン濃度７０パーセントの網点状として再剥離性の強接着の疑似接着層としている。
【００２３】
また、疑似弱接着層６２は、使用される接着剤は上記疑似強接着層６１と同様であり、例えばスクリーン濃度５０パーセントの網点状として再剥離性の弱接着の疑似接着層としている。そして、第２基材１３の表面１３Ａにおける第４シート片対応領域５４には、第１基材１２の第４シート片２４に形成された粘着剤層４２に対応した第２剥離剤層６３が形成され、表面１３Ａにおける第６シート片対応領域５６には、第１基材１２の第６シート片２６に形成された粘着剤層４１に対応した第２剥離剤層６３が形成される。第２剥離剤層６３としては、シリコン系の剥離剤層が使用される。すなわち、第２剥離剤層６３によって、第１基材１２の第４シート片２４及び第６シート片２６がラベル形態となるものである。
【００２４】
上記第１基材１２と第２基材１３とが重ね合わされた状態が図２に示される。すなわち、第２基材１３に対して剥離される第１基材１２の第１シート片２１〜第３シート片２３及び第５シート片２５は、剥離後には通常圧力では再接着しないシートとなり、第４シート片２４及び第６シート片２６がラベル形態として剥離後に他の部材に粘着剤層４２により接着させるものである。
【００２５】
ここで、上記再剥離性重ね合わせシート１１において、第２シート片２２の貼着面である裏面１２Ｂには筆記欄である記載欄３１が形成されて、当該記載欄３１上に第１剥離剤層４１が、例えば１７５本／インチのスクリーン濃度２０パーセントの網点状に形成される。
【００２６】
また、第２シート片対応領域５２の表面１３Ａには記載欄３２が形成され、当該領域の周縁に疑似強接着層６１が、例えば６５本／インチスクリーン濃度７０パーセントの網点状で形成されると共に、当該記載欄３２上であって疑似強接着層６１の内側に疑似弱接着層６２、例えば６５本／インチスクリーン濃度５０パーセントの網点状で形成されるものである。これらにより、各記載欄３１，３２上への筆記性が向上されるものである。
【００２７】
そこで、図３に図１の再剥離性重ね合わせシートにおけるシート片分離の説明図を示すと共に、図４に本発明に係る再剥離性重ね合わせシートの折り曲げ形態の概略構成図を示す。図２に示す再剥離性重ね合わせシート１１は、図３に示すように、例えばスリット１５Ａより第６シート片２６が分離されてラベルとして例えば商品梱包上に貼付された後に、第２基材１３の折り線１４より当該第２基材１３の裏面１２Ｂを合わせるように折り曲げられ、例えば商品梱包内に入れられる。なお、第６シート片２６を分離させずに折り線１４より折り曲げることとしてもよい。
【００２８】
折り曲げられた状態が図４（Ａ）、（Ｂ）に示される。図４（Ｂ）は第１シート片２１部分の断面を示したもので、第１基材１２の第１シート片２１の折り線１４を境とした長辺領域に対応する第２基材の第１シート片対応領域５１には疑似弱接着層６２が形成され、第１基材１２の第１シート片２１の折り線１４を境とした短辺領域に対応する第２基材１３の第１シート片対応領域５１には疑似強接着層６１Ａが形成されている。
【００２９】
すなわち、折り曲げにより第１シート片２１の短辺領域側の端辺部分は、破線で示すように、当該第１シート片２１の基材が曲げに対して戻ろうとする力が働いて端部部分で分離（一部剥離）しようとするのに対し、当該領域部分が強接着の疑似強接着層６１Ｂで疑似接着されていることから上記戻り力を当該強接着で一部剥離を防止することができるものである。
【００３０】
このように、重ね合わせシートを折り曲げた際の短辺領域に対応する部分の疑似接着を強接着としていることから剥離片とされるシート片の一部剥がれを回避することができるものである。
【産業上の利用可能性】
【００３１】
本発明の再剥離性重ね合わせシートは、再剥離可能に複数の基材を接着させた多層シートに利用可能である。
【符号の説明】
【００３２】
１１            再剥離性重ね合わせシート
１２            第１基材
１２Ａ          第１基材表面
１２Ｂ          第１基材裏面
１３            第２基材
１３Ａ          第２基材表面
１３Ｂ          第２基材裏面
１４            折り線
１５Ａ〜１５Ｅ  スリット
２１            第１シート片
２２            第２シート片
２３            第３シート片
２４            第４シート片
２５            第５シート片
２６            第６シート片
３１，３２      筆記欄である記載欄
４１            第１剥離剤層
４２            粘着剤層
５１            第１シート片対応領域
５２            第２シート片対応領域
５３            第３シート片対応領域
５４            第４シート片対応領域
５５            第５シート片対応領域
５６            第６シート片対応領域
６１Ａ，６１Ｂ  疑似強接着層
６２            疑似弱接着層
６３            第２剥離剤層
【図１】
2015208931.tif 000003
【図２】
2015208931.tif 000004
【図３】
2015208931.tif 000005
【図４】
2015208931.tif 000006